(57)【要約】【課題】表示のために、情報要素の意味的に表現豊かなフィールド又は部分を決定して情報を意味的にズームするシステム及び方法を提供する。【解決手段】表示のために情報を意味的にズームする方法は、表示するための情報を決定し、表示領域を決定し、表示情報の複数のセクションを、各セクションが特性情報と関連付けられた状態で、決定し、前記特性情報に基づいてセクションの各々の異なる長さ表示を決定し、限られた表示領域と各セクションの前記異なる長さ表示とに基づいて表示情報の意味的ズームを決定することを含む。【選択図】図２
2006331419.tif 000002
【特許請求の範囲】
【請求項１】
表示のために情報を意味的にズームする方法であって、
表示するための情報を決定し、
表示領域を決定し、
表示情報の複数のセクションを、各セクションが特性情報と関連付けられた状態で、決定し、
前記特性情報に基づいて、前記セクションの各々の異なる長さ表示を決定し、
限られた表示領域及び各セクションの前記異なる長さ表示に基づいて、前記表示情報の意味的ズームを決定すること、
を含むことを特徴とする方法。
【請求項２】
セクションの表示が、セクション情報の変換に基づいて決定される、ことを特徴とする請求項１に記載の方法。
【請求項３】
表示のために情報を意味的にズームするためのシステムであって、
表示するための情報を受け取る入／出力回路と、
メモリと、
プロセッサとを備え、該プロセッサが、表示領域と、表示されるべき情報の複数のセクションであって各セクションが特性情報と関連付けられた複数のセクションと、前記特性情報に基づいた各セクションの異なる長さ表示と、を決定し、且つ、限られた表示領域に基づいて意味的にズームされた情報の表示と、各セクションの前記異なる長さ表示と、を決定する、
ことを特徴とするシステム。
【請求項４】
コンピュータ可読記憶媒体であって、該記憶媒体上に具現されたコンピュータ可読プログラム・コードを含み、該コンピュータ可読プログラム・コードが、表示のために情報を意味的にズームするようにコンピュータをプログラムするのに使用可能なものである、コンピュータ可読記憶媒体であって、前記コンピュータ可読プログラム・コードが、
表示する情報を決定し、
表示領域のサイズを決定し、
表示情報の複数のセクションを、各セクションが特性情報と関連付けられた状態で、決定し、
前記特性情報に基づいて、各セクションの異なる長さ表示を決定し、
限られた表示領域及び各セクションの前記異なる長さの表示に基づいて、前記表示情報の意味的ズームを決定することを含む、
ことを特徴とするコンピュータ可読記憶媒体。
【発明の詳細な説明】
【技術分野】
【０００１】
本発明は、情報の視覚化に関する。
【背景技術】
【０００２】
従来の可視化システムは、多量の情報を表示する。しかしながら、視覚化されたアイテムの量が増大するにつれて、各アイテムと関連付けられた詳細な内容が減少する。従来の可視化システムは、各アイテムについて、どのくらいの空間を該アイテムに提供するかを含む。ユーザが大きいアイテムの表示を選択する場合には、画面上に少数のアイテムが適合される。画面上に適合されないアイテムを完全に見ることはできない。逆に、アイテムを小さくした場合、より多くのアイテムが画面上に適合されるが、個々のアイテムについての情報を表示するのに使用可能な画面空間が少なくなる。画面上の外観に基づいて小さなサイズのアイテムを見分けられない視覚化は、ユーザがパターンの可視化を視覚的に走査することを妨害する。
【０００３】
【特許文献１】米国特許出願公開第２００３／０１３２９４４号明細書
【特許文献２】米国特許出願公開第２００４／０１６５０１０号明細書
【発明の開示】
【発明が解決しようとする課題】
【０００４】
したがって、これらの従来の可視化システムのユーザは、どのアイテムが互いに近接しており、どのアイテムがどの領域にあるか等を判断するために、空間キューを利用することができない。したがって、表示のために、情報要素の意味的に表現豊かなフィールド又は部分を決定するための手段を提供するシステム及び方法が有用である。
【課題を解決するための手段】
【０００５】
本発明のシステム及び方法が、表示のために情報要素の一貫性のあるフィールド又は部分を意味的（semantically）に決定するための手段を提供する。サイズ及び形状、並びに情報要素の数によって制約される限られた表示空間が決定される。情報要素は、有限状態機械（finite state machine）、規則ベースのシステム、規則的な表現の組、等に基づいて、一貫性（coherent）のあるフィールド又は部分に、意味的に分解（decompose）される。各フィールド又は部分の異なる長さ表示が決定される。異なる長さ表示の単調（monotonically）に順序付けられた組み合わせを反映する意味的データ構造が決定される。各組み合わせは、意味的にズームされた表示と関連付けられる。データ構造は、順序付けられた組み合わせの異なる長さフィールド表示を格納するためのリスト、アレイ、及び／又はシステムである。限られた表示空間の寸法が変えられるとき、限られた表示空間内に適合する、異なる長さ表示の組み合わせが選択される。限られた表示空間内で有用かつ表現豊かな情報を提供するために、意味的にズームされた情報要素の情報コンテンツが調整される。
【発明を実施するための最良の形態】
【０００６】
図１は、本発明による、情報を意味的にズームするためのシステムの例示的な概要図である。通信可能なパーソナル・コンピュータ３００、及びドキュメント（文書：図示の例ではテキストで構成される）１０００〜１００２へのアクセスを提供する情報リポジトリ２００の両方が、通信リンク９９を介して、情報を意味的にズームするためのシステム１００に接続される。
【０００７】
通信可能なパーソナル・コンピュータ３００のユーザが、１つ又はそれ以上の引用（citation）を検討するようにという要求を開始する。１つ又はそれ以上の引用は、個別の引用、１つ又はそれ以上の引用の組、リンクされた引用のグループ、１つ又はそれ以上の引用のグラフ、及び／又は、他のいずれかの引用の組み合わせとすることができる。本発明による１つの例示的な実施形態においては、要求は、情報を意味的にズームするためのシステム１００によって仲介される。情報を意味的にズームするためのシステムは、オプションとして（随意的に）、パーソナル・コンピュータ内に内蔵され、情報リポジトリ内に内蔵され、及び／又は、通信リンク９９を介してアクセス可能ないずれかの場所に配置される。
【０００８】
情報を意味的にズームするためのシステムは、引用を検討するようにという要求を受け取り、情報リポジトリ２００から関連したドキュメント及び／又は引用を検索して取り出す。引用は、ドキュメントのテキスト内に埋め込まれ、及び／又は「Citeseer（商標）」等のような引用データベース内に格納される。情報を意味的にズームするためのシステム１００は、関連した引用情報、引用を表示することになる限られた表示空間、及び表示する引用の数を検索して取り出す。
【０００９】
情報を意味的にズームするシステム１００は、限られた表示空間内で必要な数の引用を表示するために、引用の情報コンテンツを調整する。意味的にズームされた情報は、優先的に、引用の表示におけるより顕著な情報を含む。顕著性の尺度は、ユーザによって、及び／又は、プログラム制御のもとで設定される。引用の情報コンテンツは、限られた表示空間内に適合するように動的に調整される。次に、意味的にズームされた情報は、通信リンク９９によって、通信可能なパーソナル・コンピュータ３００のユーザに送られる。
【００１０】
本発明による他の種々の例示的な実施形態においては、本発明の精神又は範囲から逸脱することなく、情報を意味的にズームするためのシステム１００は、コンピュータ、ウェブ・サーバのような情報リポジトリ内に内蔵することができ、及び／又は、通信リンク９９を通してアクセス可能な他の何れかの場所に配置できることは明らかである。
【００１１】
図２は、本発明による、情報を意味的にズームする例示的な方法のフローチャートである。プロセスはステップＳ１０００で始まり、直ちにステップＳ２０００に続く。ステップＳ２０００において引用のような情報要素が決定される。引用情報は、ドキュメント、データベース、又は他の引用情報源から抽出される。次に、制御はステップＳ３０００に続く。
【００１２】
ステップＳ３０００において、引用フィールドが決定される。引用フィールドは、引用のタイプ、及び／又は、引用を含むドキュメントによって変わる。一実施形態において、有限状態機械、規則、又は他の手段を用いて、引用フィールド情報を認識する。引用フィールドは、これらに限られるものではないが、著者、編集者、翻訳者、タイトル、出典、巻、番号、ページ、月、日、年、発行者、場所、ＩＳＢＮ番号、著者の組織、ＵＲＬ（uniform resource locator）情報、ドキュメントの呼び名（nickname）のようなユーザ特有の情報等を含むことができる。しかしながら、如何なる引用情報の認識可能フィールド、サブフィールド、又は部分を用いることもできる。次に、制御はステップＳ４０００に続く。
【００１３】
ステップＳ４０００において、フィールドの特性に基づいて、各引用フィールドの異なる長さ表示が決定される。異なる長さ表示は、引用フィールドへの種々の縮小（reduction）変換（transformation）の適用を反映する。引用フィールドの特性に基づいて、異なる変換（transformation）が引用フィールドに適用される。一実施形態においては、縮小変換が著者及び編集者引用フィールドに適用され、フィールド、サブフィールド、及び／又は他の部分の意味的に圧縮された表示を形成する。
【００１４】
一実施形態において、引用内の１つ又はそれ以上の著者名サブフィールドが、ファーストネーム、ミドルネーム、及びラストネーム・サブサブフィールドと関連付けられる。サブフィールドの種々の長さ表示は、あまり顕著でないミドルネーム・サブサブフィールドを省略し、ファーストネーム・サブサブフィールドを省略及び／又は短縮し、ラストネーム・サブサブフィールドの末端を切り捨て、他の変換を行う変換によって決定される。短縮、呼び名への置き換え、及び／又は、フィールド、サブサブフィールド、及び／又は部分を圧縮するのに有用な他の種々の変換も用いられる。フィールドの最も情報量の多い部分で始まり、より顕著な部分を漸進的に含む変換も、本発明の実施に用いられる。異なる長さフィールド表示の事前計算が、オプションとして（随意的に）、よりスムーズな表示の移行を容易にするフィールド表示の組み合わせのリストと連結される。
【００１５】
一般に、フィールド表示の組み合わせの単調（monotonically）な増大又は減少が、組み合わせのリストに付加される。組み合わせのリストは、作成された文字列のリストであり、その各々が固有の長さを有し、増大する長さの順序にソートされる。異なるレベル表示のフィールドが、等しい長さの文字列を生成するとき、複製のフィールド表示の組み合わせを作成することがある。幾つかの実施形態において、複製はリストに付加されず、捨てられる。レベルｉのフィールド表示が、レベルｉ＋ｌの表示と同じことがあるので、任意の所定フィールドの表示が、依然として複製を含むことがある。
【００１６】
異なる長さのタイトル・フィールド表示を生成するために、変換を同様に引用のタイトル・フィールドに適用する。異なる変換を用いて、語のterm-frequency-inverse-document-frequency(Tfidf)スコア、語のシーケンス、タイトルの部分の関心焦点スコア、タイトル内の語の短縮及び／又は先端切り捨て、話し言葉分類の統語法、意味論部分に基づいたタイトルの自然言語処理等に基づいて、タイトル・フィールド表示についての重要な語を選択することができる。
【００１７】
例えば、１つの例示的な実施形態においては、関連性計算を行い、種々の短縮を適用する。次に、有効なスコア（適合率）に基づいて、付加的なタイトル・フィールド表示が決定される。タイトル・フィールドにおける「ｎ」個の最も関連した語を選択し、オプションとして（随意的に）短縮し、限られた表示空間内に適合させる。ユーザに省略した情報を知らせるために、オプションとして（随意的に）マーカーが挿入される。
【００１８】
別の実施形態においては、タイトル語が、長さ及び／又はタイトル内の位置によって順序付けられるか、又はランク付けされる。長い語は、高いランクと関連付けられる。同じ長さの語は、タイトル内の位置によってさらに順序付けられ、先出の語に後出の語より高いランクが与えられる。次に、より低いランクのタイトル語を連続的に付加し、より長いタイトル・フィールド表示を連続的に生成する。しかしながら、本発明の実施において、タイトル語をランク付けする任意の周知の方法又は後に開発される方法を用いることもできる。
【００１９】
引用の出版物（publication）フィールドは、短縮（abbreviation）変換、頭字語置換（acronym substitution）変換、出版物のあまり有益でない要素の放棄等によって、オプションとして（随意的に）変換される。しかしながら、限られた表示空間内に適合する出版物フィールド表示を決定するのに有用な任意のタイプの変更を用いることもできる。
【００２０】
他の実施形態において、引用全体を表示するのに十分な空間がある場合には、引用フィールドの変換は行われない。幾つかの実施形態においては、同じ可視表示情報への２つの意味的にズームされた引用のマッピングが検知される。変換により、あいまいさを排除する記号を、他の点では同一である意味的にズームされた引用に付加することによって、フィールド表示のあいまいさが視覚的に排除されることが保証される。「Ｂｉｅｒ０４ａ」及び「Ｂｉｅｒ０４ｂ」のように余分な文字を引用の終わりに付加することができ、フィールドを付加する優先順位を変え、「Ｊ  Ｓｍｉｔｈ  ０２」及び「Ｐ  Ｓｍｉｔｈ  ０２」のようなファーストネームの部分に基づいた引用と、「Ｂｉｅｒ  Ｚｏｏｍ  ０４」及び「Ｂｉｅｒ  Ｄｏｃ．０４」のようなタイトルのために異なる語が選択されることを保証するサブフィールドの有効スコアの変更とを区別し、及び／又は、引用のあいまいさを排除する他の周知の方法又は後に開発される方法を実行する。
【００２１】
種々の他の実施形態において、日付表示形式に表示される文字の数を減らすことによって年情報が変換される。２００３年３月２２日のような長い形態の日付表示形式が、「２００３−０３−２２」の数字の日付表示形式に変換される。４桁の年表示形式を、「２２／０３／０３」又は「０３」のような２桁の年表示形式に縮めるために、付加的な変換及び／又は他の変換が適用される。
【００２２】
変換規則は、ハーバード・ブルー・ブック規則、ＡＣＭ引用規則、ＩＥＥＥ引用規則、ユーザの個人的引用規則、裁判所又は司法権、組織、及び／又は他の周知の又は後に開発される変換規則のような、一般的に認められた規則である。次に、制御はステップＳ５０００に続く。
【００２３】
ステップＳ５０００において、意味的にズームされた引用が、各引用フィールドの異なる長さ表示のリストの単調な増大又は減少の組み合わせに基づいて決定される。各引用フィールドの異なる長さ表示のリストの単調な増大又は減少の組み合わせは、種々のサイズ及び形状の限られた表示空間のために、引用全体の事前に計算された表示を提供する。次に、制御はステップＳ６０００に続き、プロセスが終了する。
【００２４】
図３は、本発明による引用を決定する例示的な方法を拡大した図である。プロセスはステップＳ２０００で始まり、直ちにステップＳ２１００に続く。
【００２５】
ステップＳ２１００において、引用ソース（源）が決定される。引用源は、これらに限られるものではないが、引用情報を含むドキュメント、引用のデータベース、及び／又は他の周知の又は後に開発される引用情報源を含むことができる。引用は、巻末注、脚注として行われ、及び／又は、ドキュメントのテキスト内に埋め込むこともできる。大きい引用のコレクションをデータベース及び／又は他の情報リポジトリ内に格納することもできる。制御はステップＳ２２００に続く。
【００２６】
ステップＳ２２００において、引用源に基づいて、引用が識別される。引用は、パターン認識、タグ付け、テキストの分析及び／又は他の周知の又は後に開発される引用識別方法を用いて識別される。一実施形態においては、テキスト内の引用を識別するために、有限状態機械が用いられる。他の実施形態においては、ＳＧＭＬ、ＨＴＭＬ、ＸＭＬ等を用いる演算子によって、引用がタグ付けされる。次に、制御はステップＳ２３００に続く。
【００２７】
ステップＳ２３００において、識別された引用が抽出される。識別された引用を引用データ構造にコピーし、及び／又は、更なる変換を行うことによって、引用が抽出される。例えば、１つの例示的な実施形態において、引用を含むドキュメントの画像は、画像入力装置から得られる。引用を含む画像の部分は、幾何学的及び／又はテキスト・ベースのパターン・マッチング等のようなドキュメント分析を用いて識別される。光学式文字認識変換ドキュメント、セクション、段落、字下げレベル、及び／又は他のドキュメント構造及び幾何学的情報を求め、分析し、引用を識別する。次に、引用のテキスト表示が抽出される。次に、テキスト表示が戻され、プロセスはステップＳ２４００に続く。制御は戻り、直ちに図２のステップＳ３０００に続く。
【００２８】
図４は、本発明による、引用セクションを決定する例示的な方法のフローチャートである。プロセスはステップＳ３０００で始まり、直ちにステップＳ３１００に続く。ステップＳ３１００において、引用源がデータベースであるかどうかについての判断がなされる。ステップＳ３１００において、引用源がデータベースであると判断された場合には、制御は、引用データベース内の情報に基づいて引用フィールドが決定されるステップＳ３２００に続く。
【００２９】
一実施形態において、各引用記録のフィールドが引用フィールドにマッピングされる。したがって、引用データベースの著者、タイトル、出版物、及び年フィールドが、関連した引用フィールドにマッピングされる。次に、制御はステップＳ３４００に続く。
【００３０】
しかしながら、ステップＳ３１００において、引用源がデータベースでないと判断された場合には、制御は、引用情報の分析に基づいて引用フィールドが決定されるステップＳ３３００に続く。引用情報は、有限状態機械、人間の校閲者による手分析、及び／又は、引用を有用なフィールド又は部分に区分化するのに有用な他のいずれかの方法又はシステムを用いて分析される。次に、制御はステップＳ３４００に続く。
【００３１】
ステップＳ３４００において、編集者情報を用いるべきかどうかについての判断がなされる。一実施形態において、著者情報を引用に使用できない場合には、編集者情報が用いられる。しかしながら、この判断は、プログラム制御等の下で設定されたユーザによって選択することができる。
【００３２】
著者情報が使用可能であると判断された場合には、制御はステップＳ３５００に続き、著者フィールドが選択される。他の場合には、制御は、編集者フィールドが選択されるステップＳ３６００に続く。著者フィールド及び／又は編集者フィールドが選択された後、制御はステップＳ３７００に続き、戻り、直ちに図２のステップＳ４０００に続く。
【００３３】
図５は、本発明による、異なる長さの引用フィールド表示を決定する例示的な方法である。プロセスはステップＳ４０００で始まり、直ちにステップＳ４１００に続く。
【００３４】
ステップＳ４１００において、第１の引用フィールドが決定される。この引用は、著者名、編集者名、タイトル、出版物名、発行年、ユーザドキュメントの呼び名、及び／又は、引用と関連付けられた任意の周知の又は後に開発される属性のような、１つ又はそれ以上のフィールドに分割される。次に、制御はステップＳ４２００に続く。
【００３５】
ステップＳ４２００において、引用フィールドの値が決定される。著者引用フィールドは、「Ｐｅｔｅｒ  Ｐｉｒｏｌｌｉ及びＳｔｕａｒｔ  Ｋ．Ｃａｒｄ」とすることができる。著者引用フィールドは、オプションとして（随意的に）、ファーストネーム、ミドルネーム、及びラストネーム等のような多数の付加的なサブフィールドに区分化される。例えば、引用著者フィールド「Ｐｅｔｅｒ  Ｐｉｒｏｌｌｉ及びＳｔｕａｒｔ  Ｋ．Ｃａｒｄ」についてのサブフィールドは、「Ｐｅｔｅｒ  Ｐｉｒｏｌｌｉ」及び「Ｓｔｕａｒｔ  Ｋ．Ｃａｒｄ」である。これらのサブフィールドは第１著者及び第２著者を反映する。「Ｐｅｔｅｒ  Ｐｉｒｏｌｌｉ」著者サブフィールドのファーストネーム・サブサブフィールドは「Ｐｅｔｅｒ」であり、ラストネーム・サブサブフィールドは、「Ｐｉｒｏｌｌｉ」である。如何なる数の引用サブフィールド及び／又はサブ部分を用いてもよい。次に制御はＳ４３００に続く。
【００３６】
ステップＳ４３００において、引用フィールドの特性が決定される。引用フィールドの特性は、引用フィールドの役割及び／又はデータ・タイプを含む。したがって、役割は、引用フィールドが著者、タイトル、発行日、ｕｎｉｆｏｒｍ  ｒｅｓｏｕｒｃｅ  ｌｏｃａｔｏｒ（ＵＲＬ）情報等を含むことを示すことができる。引用フィールドのデータ・タイプは、該フィールド内に含まれる情報のタイプを示す。データ・タイプ情報は、これらに限られるものではないが、ｕｎｉｆｏｒｍ  ｒｅｓｏｕｒｃｅ  ｌｏｃａｔｏｒ（ＵＲＬ）情報、日付情報、数字情報、個人名、組織名、固有名詞、及び／又は他のいずれかのタイプのデータを含む。
【００３７】
種々の実施形態において、引用フィールド内に表される役割及び／又はデータ・タイプに基づいて引用フィールド上に適用するために、変換規則が許容又は許諾される。変換規則は、引用フィールド、引用フィールドのサブフィールド、部分等の中にある特定の所定の文字列の有無におけるフィールドの役割又はデータ・タイプに基づいたものである。
【００３８】
このように、種々の頭字語、置換、削除及び／又はタイトル情報上で許容可能な他の操作は、著者名フィールド上で許容又は許諾された操作とすることができない。代わりに、著者名は、ファーストネーム・サブフィールド及びミドルネーム・サブフィールドを取り除いた後にラストネーム・サブフィールドの右端を切り捨てるといった、あまり認知的に破壊的でない変換を用いて変換される。ＵＲＬへの変換操作も、引用間のあいまいさを排除する際に、情報の必要性及び表示された情報の有用性に基づいて同様に許諾される。このように、ＵＲＬの変換は、表示空間がＵＲＬ全体を表示できないときに、より顕著な部分を優先的に保持するために、プロトコル名、ホスト名、ポート名、ファイル経路、ファイル・ベース名、ファイル拡張、クエリ文字列、及び／又は他のＵＲＬコンポーネントを保持又は省略することを含む。多数の行にわたって表示されるときの可読性を保持するように、ＵＲＬの残りの部分は、オプションとして（随意的に）多数の部分に折られる。次に、制御はステップＳ４４００に続く。
【００３９】
ステップＳ４４００において、異なる長さ表示の引用フィールドが、引用フィールド値の特性に基づいて決定される。引用フィールドの特性は、各引用フィールド内の情報のタイプ及び役割を反映する。引用情報の変換は、引用フィールドの役割又はデータ・タイプに基づいている。
【００４０】
例えば、この文脈においてファイル名部分が最も有用であるため、同じウェブサイト内のドキュメントのＵＲＬ型引用フィールドの変換は、該フィールドの右端で始まる。対照的に、多数の異なるドメインからのドキュメントを見るとき、ホスト名、ファイル・ディレクトリ、及び／又はファイル経路を含むＵＲＬ引用フィールドの左側からの部分が含まれる。このことは、ドキュメントのウェブサイト源の構造の理解を助け、意味的にズームされた引用が、限られた表示空間内でユーザにとって最も有用な情報を伝えることを保証する。このように、１つの例示的な実施形態においては、著者及び／又は編集者情報が、ユーザにとって最も重要な情報である。つまり、存在する場合には、著者情報が最も重要な情報である。次に、著者情報が存在しない場合には、編集者情報が最も重要な情報であると考えられ、著者情報の代わりに用いられる。
【００４１】
単独の著者についてのドキュメントを反映するコレクション又はコレクション・ビューにおいて、タイトル及び年引用フィールドは、ユーザが同じ著者によるドキュメントをより容易に解明又は区別するのが可能になるので、これらのフィールドの重要性がオプションとして（随意的に）増大する。ユーザのウェブサイトの横断（ネットサーフィン）等に基づいて、役割及び／又はデータ・タイプ特性をオプションとして（随意的に）重み付けし、及び／又は、動的に調整することができる。
【００４２】
他の実施形態においては、情報が、明示的又は暗黙的に伝達されるユーザ関心情報に基づいて、意味的にズームされる。次に、意味的ズームは、ユーザ関心プロファイルと関連付けられた情報を優先的に増大させることに基づいている。例えば、情報を意味的にズームするためのシステム１００は、ドキュメントタイトル・フィールド内の語「コンピュータ」及び「グラフィックス」について、これらの語が高いterm-frequency-inverse-document-frequency（Tfidf）スコアを有する場合には、高いランクを選択することができる。さらに、ユーザがこれらの語に直接関心を示した場合、あるいは、ユーザが、活性化拡散（spreading activation）、潜在的意味分析（latent semantic analysis）、又は他のいずれかの関連性の判断を介してこれらに関連付けられた用語に関心を示した場合、これらの語のランクを上げることができる。共著関係、適切なドキュメントコレクションにおける語の共起関係、活性化拡散、知識存在論、及び／又は、いずれかの周知の又は後に開発される関連性尺度もまた、引用フィールド内の語のランク及び／又は重みを調整するために使用可能である。
【００４３】
各引用フィールドは、一般に、異なる組の、変換やパラメータと関連付けられる。したがって、著者セクションの第１の表示は、第１著者のラストネームの３文字を含むことができる。次に、漸進的に、著者のより多くの文字及び／又は付加的なラストネームが付加される。一実施形態においては、種々の組み合わせが事前に計算される。異なる長さ表示を事前に計算すること及びアレイを意味的にズームすることは、必要される計算リソースを減らすのに有用である。つまり、単調減少しない完全な組の表示が事前に計算される。次に、ユーザの対話の際に表示空間に適合する表示の組み合わせを迅速に選択することができる。対話式セッションはよりスムーズであり、更新が、ユーザの関心を不必要に向け直す可能性が低い。さらに、他の実施形態においては、表示空間の形状を用いて、表示の適切な組み合わせの選択を知らせる。各行４文字×４行の制限された表示空間において、１）Ｂｉｅ、２）Ｂｉｅｒ、３）Ｅ．  Ｂｉｅｒ、４）Ｅ．  Ａ．  Ｂｉｅｒ、５）Ｅｒｉｃ  Ａ．  Ｂｉｅｒ及び６）Ｅｒｉｃ  Ａｌｌａｎ  Ｂｉｅｒの引用表示から有用な情報を表示するために、完全なファーストネーム、ミドルネームのイニシャル、及び完全なラストネームからなる第５の組み合わせが選択される。ミドルネーム「Ａｌｌａｎ」は４文字の行のいずれにも適合しないので、第６の表示が１６文字制限に適合したとしても、５番目の組み合わせが選択される。
【００４４】
出版物情報は、一般的な及び／又は許容される短縮、頭字語、及び他の許容可能な短形式に置換え、あまり顕著でない情報を取り除くように、オプションとして（随意的に）変換される。例えば、句「ＣＨＩ  ２００３  Ｃｏｎｆｅｒｅｎｃｅ  Ｐｒｏｃｅｅｄｉｎｇｓ」は、１）「ＣＨＩ  ２００３  Ｃｏｎｆ．Ｐｒｏｃ．」、２）「ＣＨＩ  ０３  Ｐｒｏｃ．」及び３）「ＣＨＩ０３」と書き換えることができる。
【００４５】
タイトル情報は、関連性スコア、位置スコア、及び／又は変換に基づいて、タイトルから語を選択的に表示するように変換される。一実施形態においては、１組の関連性スコア及び位置スコアによって最も重要なものとして示される語が、タイトル引用フィールドの表示を形成する。同様にランク付けされる多数の語が、タイトル内の位置の順に付加され、漸進的に長いフィールド表示を形成する。このように、引用のタイトル・フィールドの始めに現れる語は、タイトルの後に現れる語と比べて含まれることになる可能性が高い。しかしながら、これらの規則は例示的なものにすぎず、本発明の実施において、引用フィールドを変換する種々の方法も可能である。制御はステップＳ４５００に続く。
【００４６】
ステップＳ４５００において、処理すべき付加的な引用フィールドがあるかどうかについての判断がなされる。処理すべき付加的な引用フィールドがあると判断された場合、制御は、次の引用フィールドが決定されるステップＳ４６００に続く。次に、制御はステップＳ４３００に飛ぶ。次に、ステップＳ４５００において、処理すべき付加的な引用フィールドがないと判断されるまで、ステップＳ４３００〜Ｓ４５００が繰り返される。ステップＳ４５００において、付加敵な引用フィールドがないと判断されると、制御はステップＳ４７００に飛ぶ。
【００４７】
ステップＳ４７００において、処理すべき付加的な引用があるかどうかの判断がなされる。付加的な引用がある場合、制御はステップＳ４１００に飛ぶ。次に、付加的な引用が残らなくなるまで、ステップＳ４１００〜Ｓ４７００が繰り返される。次に、制御はステップＳ４８００に続き、戻り、図２のステップＳ５０００に続く。
【００４８】
図６は、本発明による、意味的にズームされた引用を決定する例示的な方法のフローチャートである。プロセスはステップＳ５０００で始まり、直ちにステップＳ５１００に続く。
【００４９】
ステップＳ５１００において、引用表示サイズが、限られた表示空間及び表示されることになる引用の数に基づいて決定される。各々の引用は、一般に、同じ量の表示空間に割り当てられる。このことは、各引用の認知的ランク付けを重要性が同等なものとして強化するのを助け、情報内のパターンの識別を容易にする。
【００５０】
限られた表示空間が調整されるとき、引用の情報コンテンツが意味的にズームされる。意味的ズームは、ユーザのための認知的文脈を維持し、所定の引用が割り当てられた表示空間内に適合することを保証し、パターンをより容易に識別することを可能にする。
【００５１】
例えば、一実施形態において、限られた表示サイズは、３０ｃｍ×４０ｃｍとなり、１００の引用が表示されるように決定される。次に、各引用表示のサイズは、６×２ｃｍとなるように決定される。引用表示サイズが決定された後、制御はステップＳ５２００に続く。
【００５２】
ステップＳ５２００において、意味的にズームされた引用は、各引用フィールドの異なる長さ表示と表示サイズの組み合わせに基づいて決定される。動的又は反応型ユーザ・インターフェース内で用いられるとき、ユーザの関心の焦点が変わることにより、表示されるべき新しい組の引用が選択されるので、多数の計算を行う必要がある。種々の実施形態において、異なる長さ表示の引用フィールドが事前に計算される。したがって、幾つかの実施形態においては、表示サイズ及び引用数だけを特定する必要がある。使用可能な表示空間に適した意味的にズームされた引用が戻される。他の実施形態において、所望の空間構成を達成するために、各引用の表示空間のサイズ及び形状は、画面領域を引用に自動的に割り当てるレイアウト計算によって決定される。さらに他の実施形態において、各引用の表示空間のサイズ及び形状は、ユーザによって対話形式で特定することができる。このことは、ユーザの関心が変わるにつれて、反応型ユーザ・インターフェースがスムーズに移行することを可能にする。特に、ズームアウトにより、より意味的にズームされた引用が画面上に現れ、意味的にズームされた、現時点の小さい引用の１つ１つについて引用情報が再計算される。ズーム率が変わらない場合、パンニングにより、幾つかの意味的にズームされた引用が表示空間上に現れたり消えたりするが、情報を意味的にズームするためのシステムは、前に表示された意味的にズームされた引用のためにどの組み合わせのフィールド表示を使用すべきかを既に知っている。意味的にズームされた引用についてのフィールド表示の前に計算された組み合わせは依然として有効であり、よって計算リソースの節減になる。次に、制御はステップＳ５３００に続き、戻り、図２のステップＳ６０００に直ちに飛び、そこでプロセスが終了する。
【００５３】
図７は、本発明による、情報を意味的にズームするための例示的なシステム１００である。通信可能なパーソナル・コンピュータ３００、及び情報要素１１００〜１１９９へのアクセスを提供する情報リポジトリ２００の両方が、通信リンク９９を介して、情報を意味的にズームするためのシステム１００に接続される。
【００５４】
通信可能なパーソナル・コンピュータ３００のユーザは、ドキュメント１１００〜１１９９と関連付けられた製品説明の情報要素を検討するという要求を開始する。種々の実施形態において、情報要素は、これらに限られるのではないが、コンタクト記述、引用、データベース・フィールド、及び／又は、他のタイプの種々の情報を含む。１つ又はそれ以上の情報要素は、個々の製品説明、コンタクト情報とすることができる。一実施形態においては、要求は、情報を意味的にズームするためのシステム１００によって仲介される。
【００５５】
情報を意味的にズームするためのシステムは、情報要素を検討するという要求を受け取り、情報リポジトリ２００から関連した情報要素を検索して取り出す。情報要素は、ドキュメントのテキスト内に埋め込まれ、及び／又は、データベース等の中に格納される。情報を意味的にズームするためのシステム１００は、関連した情報要素、情報要素が表示されることになる限られた表示空間の寸法、及び入出力回路１０を作動されることによって表示するための情報要素の数を検索して取り出す。
【００５６】
プロセッサ２０は、情報要素を取り出し、その情報要素をメモリ３０に格納する。任意のユーザ・プロファイル決定回路４０を作動させ、ユーザ・プロファイルを決定する。ユーザ・プロファイルは、キーワード、主題、及び／又はユーザが興味をもつ概念を決定する。ユーザ・プロファイルは、ユーザ識別子に基づいたユーザ・プロファイル情報ストアから取り出され、動的に決定され、及び／又はユーザによって入力される。
【００５７】
プロセッサ２０は、フィールド決定回路５０を作動させ、関連したフィールド、サブフィールド、及び／又は、情報要素の他の関連した部分を決定する。一実施形態において、著者及び編集者、雑誌名、発行日、雑誌識別子及び／又は情報要素の他のいずれかの周知の又は後に開発される部分が決定される。コンタクト情報の場合には、名前、アドレス、電話番号、ファックス番号、及び職業を用いることができる。投資家の投資信託情報の場合には、ファンド名、チッカー記号、ファンド・ファミリー、提示価格等が用いられる。特許情報の場合には、発明者、タイトル、譲受人、発明の分野、出願日、特許番号等を用いることができる。他の実施形態においては、製品識別子、出所（オリジン）の識別子、量、価格、及び／又は製品説明情報要素についての他のフィールドが決定される。
【００５８】
プロセッサ２０は、表示レベル決定回路６０を作動させ、情報要素内で識別されたフィールドの異なる長さ表示を決定する。情報要素内の著者名フィールドは、異なる長さ表示で表すことができる。レベル１表示の著者名フィールドは、著者フィールド情報の最もコンパクトな表示を反映する。一実施形態において、レベル１表示は、第１著者のラストネームの最初の３文字に基づいている。
【００５９】
高レベルの著者フィールド表示の各々について、付加的な著者フィールド情報が付加される。例示的なレベル６の著者フィールド表示は、全ての著者のファーストネーム、ミドルネーム、及びラストネームから構成される。
【００６０】
プロセッサ２０は、意味的ズーム決定回路７０を作動させ、利用可能な表示サイズ、形状、及び任意のユーザ・プロファイル情報に基づいて、意味的にズームされた情報要素内に含むようにフィールド及び／又はフィールド・レベルを決定する。このように、タスクに関連した、限られた表示空間内に適合する情報が選択される。プロセッサ２０は、表示のために、意味的にズームされた情報要素を通信可能なパーソナル・コンピュータ３００に送る。
【００６１】
種々の実施形態において、情報を意味的にズームするためのシステム１００は、通信可能なパーソナル・コンピュータ３００内、情報リポジトリ２００内、又は通信リンク９９を通してアクセス可能な他のいずれかの場所に内蔵される。
【００６２】
図８は、本発明による、変換規則を格納するための例示的なデータ構造である。変換規則を格納するための例示的なデータ構造は、識別子部分６１０、フィールド・タイプ部分６２０、レベル部分６３０、及び変換規則部分６４０から構成される。
【００６３】
識別子部分６１０は、情報規則を格納するためのデータ構造における第１のエントリを示す値「１」を含む。フィールド・タイプ部分６２０は、エントリ「ＡＵＴＨＯＲＳ」を含む。これは、規則を実行するように要求された引用フィールドのタイプを示す。引用フィールドのタイプの決定は、１つ又はそれ以上の関連した変換規則の適用を可能にする又は許諾する。種々の実施形態において、変換規則は、規則の階層を形成する。変換規則の階層は、引用フィールドの特性に基づいて横断する。したがって、出版物フィールドにおいては、頭字語を置換する権限が与えられるが、著者又は編集者の名前においては許容されない。別の実施形態においては、タイトル・フィールドについての語選択は、term-frequency-inverse-document-frequency（Tfidf）スコアに基づいているが、term-frequency-inverse-document-frequency（Tfidf）スコアに基づいた著者についての語選択は許容されない。
【００６４】
例えば、著者のラストネームの最初の何文字かは、依然として意味のある情報を伝えるので、著者名引用フィールド値の末端を切り捨てることができる。対照的に、短縮変換、ストップワード（句読点等）の除去、及び同様の置換え操作は、これらの操作が圧縮された情報を理解する能力を著しく減少させるため、廃止される可能性がある。種々の実施形態においては、許容可能な文字列操作の階層が、引用フィールドの特性に基づいて定められる。このように、特性に基づいて、引用サブフィールドについての許容可能な文字列操作のサブ階層が決定される。一実施形態において、階層は、変換規則要素の順序付けの際に反映される。
【００６５】
レベル部分６３０は、エントリ「１」を含む。これは、所望の圧縮度を示す。許可された操作のサブ階層を用いる実施形態において、レベル部分６３０のレベル値は、許可された変換又は文字列書き換え操作の組についての付加的な規則及び／又はパラメータをさらに特定する。このように、１つの例示的な実施形態において、レベル「１」の値は、最大の圧縮度が必要とされることを示す。
【００６６】
変換規則（transformation rule）部分６４０は、エントリ「ＳＵＢＳＴＲＩＮＧ（ＡＵＴＨＯＲ〔１〕．ＬＡＳＲＮＡＭＥ，３）」を含む。これは、レベル１の著者フィールド表示を形成するために、第１著者のラストネームの最初の３文字だけが用いられることを示す。したがって、３文字より短い、「Ｎｇ」のような著者名は、この規則によってそのまま戻される。
【００６７】
第２列は、エントリ「２」、「ＡＵＴＨＯＲＳ」、「２，ＳＵＢＳＴＲＩＮＧ（ＡＵＴＨＯＲ〔ＦＩＲＳＴ〕．ＬＡＳＴＮＡＭＥ，５）」を含む。これは、第２の変換規則が、最初に名前が挙げられた著者のラストネームの最初の５文字を抽出し、その結果をレベル２の著者フィールド表示と関連付けることを示す。ラストネームが３文字又はそれより少ない文字の著者についてのレベル２の著者表示は、レベル１の表示と異ならない。幾つかの実施形態において、アレイが各フィールドと関連付けられる。アレイのサイズ又はレベル数は、異なる長さ表示の数に基づいている。
【００６８】
各レベルは、異なる変換又は変換へのパラメータと関連付けられる。慣例により、レベル０は、省略されたフィールドを反映し、フィールド表示と関連付けられたレベル数が増大すると、漸進的に多くの情報を含む。次に、最高レベルは、完全なすなわち変換されないフィールドを示す。レベルの順序付けは単に例示的なものであり、単調に増大及び／又は減少するレベル数の順序付けを用いることもできる。
【００６９】
第３列は、エントリ「３」、「ＡＵＴＨＯＲＳ」、「３」、「ＳＵＢＳＴＲＩＮＧ（ＡＵＴＨＯＲ〔ＦＩＲＳＴ〕．ＬＡＳＴＮＡＭＥ，７）」を含む。これは、「３」の著者レベルと関連付けられた第３の変換規則が、著者のラストネームの最初の７文字を抽出することを示す。ラストネームが５文字又はそれより少ない著者についてのレベル３の著者表示は、レベル２の著者表示と異ならない。
【００７０】
第４列は、エントリ「４」、「ＡＵＴＨＯＲＳ」、「４」、「ＡＵＴＨＯＲ〔ＦＩＲＳＴ〕．ＬＡＳＴＮＡＭＥ」を含む。これは、レベル４の著者フィールドと関連付けられた第４の変換規則が、レベル４の著者表示として最初に名前が挙げられた著者の完全なラストネームを関連付けることを示す。「Ｌｅｅ」のようなレベル１及びレベル２表示の短い名前は、既に、最初に名前が挙げられた著者の完全なラストネームの全ての文字を反映する可能性がある。
【００７１】
第５列は、エントリ「５」、「ＡＵＴＨＯＲＳ」、「５」、「ＦＯＲ（Ｉ  ＩＮ  ＡＵＴＨＯＲ）｛ＡＵＴＨＯＲ〔ＦＩＲＳＴ〕．ＬＡＳＴＮＡＭＥ｝」を含む。これらのエントリは、引用と関連付けられた各著者のラストネームがレベル５の著者フィールド表示によって戻されることを示す。
【００７２】
第６列は、エントリ「６」、「ＡＵＴＨＯＲＳ」、「６」、「ＦＯＲ（Ｉ  ＩＮ  ＡＵＴＨＯＲ）｛ＡＵＴＨＯＲ〔Ｉ〕．ＦＵＬＬＮＡＭＥ｝」を含む。引用と関連付けられた各著者にわたって繰り返すために、変数「Ｉ」が用いられる。識別された著者の各々について、フルネームが、各名前間の空間と結び付けられ、セミコロンが付加され、レベル６の著者フィールド表示を形成する。しかしながら、他の種々の例示的な実施形態は、フィールド、句読点、或いは他の文字又は記号を省略することができる。このように、幾つかの実施形態においては、サブフィールド又はフィールドが句読点の後に続くが、種々の他の分離記号を用いることもできる。
【００７３】
第７列は、エントリ「７」、「ＥＤＩＴＯＲＳ」、「１」、「ＳＵＢＳＴＲＩＮＧ（ＥＤＩＴＯＲ〔ＦＩＲＳＴ〕．ＬＡＳＴＮＡＭＥ，３）」を含む。これらのエントリは、変換規則が最初に名前が挙げられた編集者のラストネームの最初の３文字を抽出し、その結果をレベル１の編集者フィールド表示と関連付けることを示す。
【００７４】
第８列は、エントリ「８」、「ＥＤＩＴＯＲＳ」、「２」、「ＳＵＢＳＴＲＩＮＧ（ＥＤＩＴＯＲＳ〔ＦＩＲＳＴ〕．ＬＡＳＴＮＡＭＥ，５）」を含む。これらのエントリは、「２」の編集者レベルと関連付けられた変換規則が、最初に名前が挙げられた編集者のラストネームの最初の５文字を抽出することを示す。
【００７５】
第９列は、エントリ「９」、「ＥＤＩＴＯＲＳ」、「３」、「ＳＵＢＳＴＲＩＮＧ（ＥＤＩＴＯＲ〔ＦＩＲＳＴ〕．ＬＡＳＴＮＡＭＥ，７）」を含む。これらのエントリは、「３」の編集者レベルと関連付けられた変換規則が、最初に名前が挙げられた編集者のラストネームの最初の７文字を抽出することを示す。ラストネームが５文字又はそれより少ない文字の著者についてのレベル３の編集者表示は、レベル２の編集者表示と異ならない。
【００７６】
第１０列は、エントリ「１０」、「ＥＤＩＴＯＲＳ」、「４」、「ＥＤＩＴＯＲ〔ＦＩＲＳＴ〕．ＬＡＳＴＮＡＭＥ」を含む。これらのエントリは、レベル４の編集者フィールドと関連付けられた変換規則が、レベル４の編集者表示として最初に名前が挙げられた編集者の完全なラストネームを関連付けることを示す。「Ｌｅｅ」のようなレベル１及びレベル２表示の短い名前は、既に、最初に名前が挙げられた編集者の完全なラストネームの全ての文字を反映する可能性がある。
【００７７】
第１１列は、エントリ「１１」、「ＥＤＩＴＯＲＳ」、「４」、「ＦＯＲ（Ｉ  ＩＮ  ＥＤＩＴＯＲ）｛ＥＤＩＴＯＲ〔Ｉ〕．ＬＡＳＴＮＡＭＥ｝」を含む。これらのエントリは、引用と関連付けられた各編集者のラストネームが、レベル５の編集者フィールド表示によって戻されることを示す。
【００７８】
第１２列は、エントリ「１２」、「ＥＤＩＴＯＲＳ」、「６」、「ＦＯＲ（Ｉ  ＩＮ  ＥＤＩＴＯＲ）｛ＥＤＩＴＯＲ〔Ｉ〕．ＦＵＬＬＮＡＭＥ｝」を含む。引用と関連付けられた各編集者にわたって繰り返すために、変数「Ｉ」が用いられる。識別された編集者の各々について、フルネームが、各名前間の空間と結び付けられ、セミコロンが付加され、レベル６の編集者フィールド表示を形成する。
【００７９】
第１３列は、エントリ「１３」、「ＴＩＴＬＥ」、「１」、「ＦＯＲ（Ｉ  ＩＮ  ＴＩＴＬＥ）｛ＩＦ  ＲＡＮＫ（ＴＩＴＬＥ〔Ｉ〕＜＝１｝」を含む。これらのエントリは、タイトル・フィールドのレベル１表示が、ランク「１」を有する語と関連付けられることを示す。１のランクは、タイトル内の最も重要な語に割り当てられる。このことは、タイトルのコンパクトな意味的表示の生成を可能にする。
【００８０】
ランクは、タイトル等の中の位置の順序に基づいたterm-frequency-inverse-document-frequency（Tfidf）ランク付け、重み付けに基づいている。意味的コンテンツに基づいて表示の情報コンテンツを漸進的に調整することができるいずれの変換を用いることもできる。
【００８１】
コンタクト情報、製品説明、データベース・ビュー及び記録、及び／又は他のタイプの情報を意味的にズームすることに向けられた種々の他の実施形態において、情報の部分のタイプ又は役割、及び／又は情報の部分に基づいて、変換が決定される。コンタクト、製品説明、投資信託、特許、及び／又は他の情報の部分の異なる長さ表示が決定される。
【００８２】
同様に、第１４列から第２１列までは、例示的なタイトル・フィールドについての表示レベル２〜９を反映する。すなわち、表示レベルが増すにつれて、タイトル語のランクに基づいて、タイトルからの漸進的により多くの情報が、関連したタイトルの表示内に含まれるようになる。漸進的により重要でない語は、より高いランクと関連付けられる。タイトル内の全ての語は、レベル９表示のタイトル情報の場合に表示される。
【００８３】
第２２列は、エントリ「２２」、「ＰＵＢＬＩＣＡＴＩＯＮ」、「１」、「ＦＯＲ（Ｉ  ＩＮ  ＰＵＢＬＩＣＡＴＩＯＮ｛ＲＥＰＬＡＣＥ  ＰＵＢＬＩＣＡＴＩＯＮ〔Ｉ〕．ＷＥＬＬＫＮＯＷＮ｝  ＲＥＰＬＡＣＥ（ＰＵＢＬＩＣＡＴＩＯＮ〔Ｉ〕，ＡＣＲＯＮＹＭＳ＿ＣＯＭＭＯＮ）  ＲＥＭＯＶＥ（ＰＵＢＬＩＣＡＴＩＯＮ〔Ｉ〕，ＳＴＯＰＷＯＲＤ）  ＲＥＰＬＡＣＥ（ＰＵＢＬＩＣＡＴＩＯＮ〔Ｉ〕，ＡＢＢＲＥＶＩＡＴＩＯＮＳ）｝）を含む。これらの値は、周知の出版物のフルネーム及び名前の短い形態を含むアレイ内に含まれる周知の出版物を識別するために、出版物フィールド内の文字列又はトークンにわたって繰り返すことによって第１レベルの出版物表示が決定されることを示す。次に、出版物フィールドは、ＷＥＬＬＫＮＯＷＮアレイからの対応する短い形態を用いて書き換えられる。出版物フィールド内の一般的な頭字語が、同様に識別される。
【００８４】
一実施形態において、出版物は、一般的な頭字語を含む「ＡＣＲＯＮＹＭＳ＿ＣＯＭＭＯＮ」情報ストアと比較される。情報ストアは、パターン／頭字語対のハッシュ・テーブル、パターン／頭字語対のリスト、及び／又は、パターン／頭字語対を格納するのに有用な他の任意のデータ構造として実装される。例示的なパターン／頭字語対は、形態「Ｊｏｉｎｔ  Ｃｏｎｆｅｒｅｎｃｅ  ｏｎ  Ｄｉｇｉｔａｌ  Ｌｉｂｒａｒｉｅｓ」及び「ＪＣＤＬ」等からできている。特定レベルのタイトル表示の場合には、パターン「Ｊｏｉｎｔ  Ｃｏｎｆｅｒｅｎｃｅ  ｏｎ  Ｄｉｇｉｔａｌ  Ｌｉｂｒａｒｉｅｓ」が、タイトル・フィールドにおいて識別され、「ＪＣＤＬ」として書き換えられる。つまり、頭字語パターンが合致するとき、関連フィールド又はサブフィールドの対応する要素、置換え又は書き換え操作がトリガされ、関連した頭字語と置換する。
【００８５】
出版物フィールド内のストップワード及び短縮も同様に識別される。出版物フィールドを書き換えるために、ストップワードが除去され、短縮が用いられる。次に、書き換えられた又は変換された出版物フィールドは、レベル１の出版物フィールド表示として戻される。
【００８６】
一実施形態において、レベル２の出版物表示は、一般的な頭字語、ストップワード、及び短縮変換に基づいており、レベル３の表示は、一般的な頭字語及び短縮置換えに基づいている。最後に、第２５列に示されるレベル４の出版物フィールド表示は、出版物フィールドの全ての情報コンテンツを含む。
【００８７】
第２６列は、エントリ「２６」、「ＰＵＢ＿ＤＡＴＥ」、「ＮＩＬ」を含む。これらのエントリは、レベル０表示の発行日フィールドが、ＮＩＬマーカーと関連付けられることを示す。この発行日フィールド表示は、引用フィールドの中で重み付けインジケータと共に用いることができ、日付情報に優先して表示されるべきより多くのタイトル・フィールド情報を示す。フィールドのランク付けは、オプションとして（随意的に）、プログラムにより調整され、及び／又は、ユーザにより調整される。
【００８８】
第２７列は、エントリ「２７」、「ＰＵＢ＿ＤＡＴＥ」、「１」、「ＤＡＴＥ（ＰＵＢＬＩＣＡＴＩＯＮ＿ＤＡＴＥ，２）」を含む。これらのエントリは、レベル１表示の発行日フィールドが、発行日フィールドからの顕著な情報の文字の抽出と関連付けられることを示す。年のコンパクトな表示が必要とされるとき、２文字の発行日フィールド表示が選択される。幾つかの実施形態において、他の方法で同じ可視表示にマッピングする、引用間のあいまいさを排除するために、年情報は、意味的にズームされた引用にプログラムにより付加される。
【００８９】
第２８列は、エントリ「２８」、「ＰＵＢ＿ＤＡＴＥ」、「２」、「ＤＡＴＥ（ＰＵＢＬＩＣＡＴＩＯＮ＿ＤＡＴＥ，４）を含む。これらのエントリは、レベル２の発行日フィールド表示が、発行日フィールドからの４文字の抽出と関連付けられる。年のコンパクト表示が必要とされるとき、レベル２の発行日フィールド表示が選択される。
【００９０】
第２９列は、エントリ「２９」、「ＰＵＢ＿ＤＡＴＥ」、「３」、「ＤＡＴＥ（ＰＵＢＬＩＣＡＴＩＯＮ＿ＤＡＴＥ）」を含む。これらのエントリは、レベル３の発行日フィールド表示が、完全な発行日フィールドと関連付けられることを示す。年サブフィールドの完全な表示が必要とされ、適切な空間が使用可能であるとき、レベル３の発行日表示が選択される。
【００９１】
図９は、本発明による、第１の限られた表示空間４１０内の意味的にズームされた引用の例示的な第１の表示を示す。表示は、６つの異なる著者による２０の引用を示す。第１の意味的にズームされた引用４５１は、レベル１の著者フィールド表示４３１及びレベル１の発行日フィールド表示４４１からなる。第１の意味的にズームされた引用は、第１著者のラストネームの最初の３文字と、短縮された２桁の発行日フィールドとを表示する。これにより、個々のドキュメントの識別を可能にするコンパクトな表示がもたらされる。他の種々の実施形態において、製品識別子、名前、卸売価格及び小売価格、及び／又は種々の他のタイプの情報を含むデータベース・フィールド及び／又はビューを用いることもできる。
【００９２】
種々の実施形態において、意味的にズームされた引用の異なる長さフィールド表示は、事前に計算されるか又は動的に定めることができる。異なる長さ表示を事前に計算することにより、ユーザ・インターフェースの感応性が増大する。事前に計算された表示は、引用と共に決定され、格納され、引用データベースに格納され、引用が引用のワーキング・セット等の中に最小に含まれるときに決定される。
【００９３】
第２及び第３の意味的にズームされた引用４５２及び４５３は、もともとは、同じ視覚要素にマッピングする。したがって、第２及び第３の意味的にズームされた引用４５２及び４５３は、文字、シーケンスのような視覚要素を付加することによって、視覚的にあいまいさが排除される。別の実施形態においては、ページ数、発行月、タイトル要素、又は意味的にズームされた引用のあいまいさを排除するのに有用な他の引用情報を付加することによって、意味的にズームされた引用のあいまいさが排除される。
【００９４】
図１０は、本発明による、第２の限られた表示空間内の意味的にズームされた引用の例示的な第２の表示を示す。第２の限られた表示空間５１０は、付加的な情報の表示を可能にする。意味的にズームされた引用５５１は、レベル３の著者フィールド表示及びレベル２の発行年表示からなる。つまり、引用表示を作成するために、最初に名前が挙げられた著者の７文字までと発行年の４文字とが用いられる。表示が更新され、意味的ズーム・レベルのアレイに基づいた異なる意味的ズーム・レベルを反映する。アレイ内の各列は、フィールド表示の組み合わせを反映し、これらが協働して意味的にズームされた引用を形成する。一般に、結果の意味的コンテンツを最大にし、表示のサイズ及び形状の制約を満たすという戦略に基づいて、各引用についてのフィールド表示の組み合わせが、独立して決定されることに留意されたい。このように、２０文字×２列の表示において、著者名「Ｃ．Ｓｔｒｏｕｔｈｏｐｏｕｌｏｓ」と関連付けられた引用の場合よりも、著者名「Ｊ．Ｙｅｅ」と関連付けられた引用の場合に、より多くのタイトル・フィールド情報が表示される。しかしながら、タイトル・フィールド情報の優先順位が明示的又は暗黙的に増したとき、著者名のラストネーム・サブフィールドをさらに圧縮し、タイトル又は他の重要なフィールド情報のための付加的な空間を提供することができる。
【００９５】
このように、各ズーム・レベルで表示するために、最も多く情報を提供する語が選択されるので、アイコンから成功裏にドキュメントを認識できる限り、ユーザは、ズームする必要がない。ユーザが瞬時により多くのアイコンを見ることが可能になり、これにより、より大きいグループ分け又はコンテキストを知った状態になるので、ズームアウトされたままでいることは有利である。このことにより、ズーム・レベルがよりドラスチックに変わった場合より空間キューをより効果的に用いることが可能になる。
【００９６】
図１１は、本発明による意味的ズーム・レベルを格納するための例示的なデータ構造である。意味的ズーム・レベルを格納するための例示的なデータ構造は、著者部分７１０、タイトル部分７２０、発行年部分７３０、及び出版物部分７４０からなる。
【００９７】
意味的ズーム・レベルを格納するための例示的なデータ構造７００の第１列は、著者部分７１０において「３」の値を含む。この値は、関連した意味的にズームされた引用が、レベル３の著者フィールド表示を含むことを示す。一実施形態において、レベル３の著者フィールド表示は、最初に名前が挙げられた著者のラストネームの最初の７文字を含む。したがって、第１著者「Ｇｒａｈａｍ」の場合には、レベル３の著者表示は、「Ｇｒａｈａｍ」となる。対照的に、「Ｗｉｔｈｅｒｓｐｏｏｎ」という第１著者の場合には、対応するレベル３の著者表示は、「Ｗｉｔｈｅｒｓ」となる。
【００９８】
タイトル部分７２０は、値「０」を含む。これは、関連した意味的にズームされた引用内にタイトル表示が含まれないことを示す。年部分７３０は、値「１」を含む。これは、関連した意味的にズームされた引用内にレベル「１」の発行年フィードバック表示が表示されることを示す。一実施形態において、レベル１の発行年表示は、年の最後の２桁を含む。
【００９９】
出版物部分７４０は、値「１」を含む。この値は、関連した意味的にズームされた引用内に、レベル１の出版物フィールド表示が含まれることを示す。レベル１の出版物フィールド表示は、一般的な頭字後を出版物フィールドに置き換え、適切な短縮を挿入することを含む。しかしながら、種々の他のタイプの変換を用いることもできる。結果として得られる意味的にズームされた引用は、引用の各フィールドの特定の異なる長さ表示から構成される。意味的ズーム・レベルを格納するためのデータ構造内の連続した列を調べることによって、限られた表示空間内に適合する可能性が高い、異なる長さの引用が、迅速に決定される。
【０１００】
意味的ズーム・レベルを格納するための例示的なデータ構造７００の第２列は、エントリ「４」、「０」、「１」、「１」を含む。これらのエントリは、意味的にズームされた引用情報が、レベル４の著者フィールド表示、タイトル・フィールド表示なし、レベル１の発行年表示、及びレベル１の出版物表示からなることを示す。
【０１０１】
第３列は、エントリ「５」、「０」、「１」、「１」を含む。これらのエントリは、レベル５の著者表示、タイトル表示なし、レベル１の発行年表示、及びレベル１の出版物表示からなることを反映する。このエントリは、意味的にズームされた引用内に表示された付加的な著者情報を反映する。
【０１０２】
第４列は、値「５」、「１」、「１」、「１」を含み、意味的にズームされた引用情報が、レベル５の著者表示、レベル１のタイトル表示、レベル１の発行年表示、レベル１の出版物表示からなることを示す。第３列のエントリによって表された意味的にズームされた引用は、タイトル語を該意味的にズームされた引用に付加することを反映する。
【０１０３】
第５列は、値「５」、「２」、「１」、「１」を含み、意味的にズームされた引用情報が、レベル５の著者表示、レベル２のタイトル表示、レベル１の発行年表示、レベル１の出版物表示からなることを示す。レベル２のタイトル値は、前のエントリに優る付加的な顕著なタイトル語を反映する。
【０１０４】
第６列は、値「５」、「３」、「１」、「１」を含み、意味的にズームされた引用情報が、レベル５の著者表示、レベル３のタイトル表示、レベル１の発行年表示、レベル１の出版物表示からなることを示す。このエントリは、前のエントリに優る付加的なタイトル情報を反映する。
【０１０５】
第７列は、値「６」、「３」、「１」、「１」を含み、意味的にズームされた引用情報が、レベル６の著者表示、レベル３のタイトル表示、レベル１の発行年表示、レベル１の出版物表示からなることを示す。このエントリは、前のエントリに優る付加的な著者情報を反映する。
【０１０６】
第８列は、値「６」、「３」、「１」、「２」を含み、意味的にズームされた引用情報が、レベル６の著者表示、レベル３のタイトル表示、レベル１の発行年表示、レベル２の出版物表示からなることを示す。このエントリは、前の列のエントリに優る付加的な出版物情報を反映する。
【０１０７】
第９列は、値「６」、「３」、「２」、「２」を含み、意味的にズームされた引用情報が、レベル６の著者表示、レベル３のタイトル表示、レベル２の発行年表示、レベル２の出版物表示からなることを示す。このエントリは、前の列のエントリに優る付加的な発行年情報を反映する。
【０１０８】
図１２は、本発明による、異なる長さ表示の組み合わせからの、例示的な意味的にズームされた引用の組み合わせの形成を示す説明図である。第５のすなわちレベル５の著者フィールド表示９１１が選択される。例示的なレベル５の著者フィールド表示は、各著者のラストネームを含む。
【０１０９】
レベル４のタイトル・フィールド表示９２１が選択される。本発明による１つの例示的な実施形態において、レベル４の表示９２１は、４以下のランクの語を含む。ランクは、term-frequency-inverse-document-frequency（Tfidf）尺度、ユーザの関心、タイトル内の語の位置、及び／又はタイトル語をランク付けする任意の周知の又は後に開発される方法に基づいている。
【０１１０】
レベル０の発行日フィールド表示９３１は、発行日フィールド表示９３０の組から選択され、文字を含まない。最もコンパクトな意味的にズームされた引用が必要とされるときに、レベル１の表示が選択され、発行日のランクは、発行日フィールドの情報コンテンツが必要とされないことを示す。
【０１１１】
レベル１の発行日フィールド表示は、発行日フィールド表示９３０の最も圧縮された表示を反映する。したがって、２桁の年形式が戻される。レベル２の発行日フィールド表示は、例えば、月、日、及び年情報を含み得る完全な発行日フィールドを反映する。
【０１１２】
レベル１表示の出版物フィールド９４１は、周知の頭字語、短縮を含み、ストップワードを取り除くように出版物フィールドを書き換える操作、及び／又は、出版物フィールドを他の方法で変換する操作と関連付けられる。このように、レベル１表示の出版物フィールド９４１は、用語又は句「Ｄｉｇｉｔａｌ  ｌｉｂｒａｒｙ」の頭字語又は呼び名「ＤＬ」への置換え、及び「Ｃｏｎｆｅｒｅｎｃｅ」の「Ｃｏｎｆ．」への短縮を反映する。
【０１１３】
選択されたレベル５の著者フィールド表示９１１、レベル４のタイトル表示９２１、レベル１の発行年表示９３１、及びレベル１の出版物表示９４１は、組み合わされて、意味的にズームされた引用又は情報要素を形成する。漸進的に大きく又は小さくなる意味的にズームされた引用は、意味的ズーム・レベルを格納するためのデータ構造内の関連したエントリを選択することによって決定される。
【０１１４】
情報を意味的にズームするためのシステム１００の種々の実施形態においては、回路１０〜５０の各々は、適切にプログラムされた汎用コンピュータの一部として、ＡＳＩＣ内の物理的に別個のハードウェア回路として、或いはＥＰＧＡ、ＰＤＬ、ＰＬＡ、又はＰＡＬを用いて、或いは別個の論理要素又は別個の回路要素を用いて実装することができる。
【０１１５】
さらに、情報を意味的にズームするためのシステム１００及び／又は上述の種々の回路の各々は、プログラムされた汎用コンピュータ、特定用途向けコンピュータ、マイクロプロセッサ等の上で実行するソフトウェア・ルーチン、マネージャ、又はオブジェクトとして実装することができる。この場合、情報を意味的にズームするためのシステム１００及び／又は上述の種々の回路の各々はそれぞれ、通信ネットワーク内に埋め込まれた１つ又はそれ以上のルーチンとして、サーバ上に常駐するリソース等として実装することができる。情報を意味的にズームするためのシステム１００及び上述の種々の回路の各々は、情報を意味的にズームするためのシステム１００を、ウェブ・サーバ又はクライアント装置のハードウェア・システム及びソフトウェア・システムのようなソフトウェア・システム及び／又はハードウェア・システムに物理的に組み込むことによって実装することもできる。
【０１１６】
図７に示されるように、メモリ３０は、変更可能な揮発性又は不揮発性メモリ、或いは変更不能メモリなすなわち固定メモリのいずれかの適切な組み合わせを用いて実装することができる。変更可能なメモリは、揮発性であろうと不揮発性であろうと、静的又はダイナミックＲＡＭ、フロッピィ・ディスク及びディスク・ドライブ、書き込み可能又は再書き込み可能な光ディスク及びディスク・ドライブ、ハード・ドライブ、フラッシュ・メモリ等のいずれか１つ又はそれ以上を用いて実装することができる。同様に、変更不能メモリすなわち固定メモリは、ＲＯＭ、ＰＲＯＭ、ＥＰＲＯＭ、ＥＥＰＲＯＭ、ＣＤ−ＲＯＭ又はＤＶＤ−ＲＯＭディスクのような光ＲＯＭディスク、及びディスク・ドライブ等のいずれか１つ又はそれ以上を用いて実装することができる。
【０１１７】
図１及び図７に示される通信リンク９９の各々は、装置を接続し、通信を容易にするために使用可能な、任意の周知の又は後に開発される接続システム又は構造とすることができる。
【０１１８】
上述のような本発明の例示的な実施形態は、制限ではなく、例証となるように意図される。本発明の精神及び範囲から逸脱することなく、種々の変更をなすことができる。
【図面の簡単な説明】
【０１１９】
【図１】本発明による、情報を意味的にズームするシステムの例示的な全体の概略図である。
【図２】本発明による、情報を意味的にズームする例示的な方法のフローチャートである。
【図３】本発明による、引用を決定する例示的な方法のフローチャートである。
【図４】本発明による、引用セクションを決定する例示的な方法のフローチャートである。
【図５】本発明による、引用フィールドの異なる長さの表示を決定する例示的な方法のフローチャートである。
【図６】本発明による、ズームした引用を決定する例示的な方法のフローチャートである。
【図７】本発明による、情報を意味的にズームする例示的なシステムの構成図である。
【図８】本発明による、変換規則を格納する例示的なデータ構造を示す図である。
【図９】本発明による、第１の割り当てられた表示空間内での意味的にズームされた引用の例示的な第１の表示を示す図である。
【図１０】本発明による、第２の割り当てられた表示空間内での意味的にズームされた引用の例示的な第２の表示を示す図である。
【図１１】本発明による、意味的なズームレベルを格納するための例示的なデータ構造を示す図である。
【図１２】本発明による、異なる長さ表示の組み合わせから例示的な意味的にズームされた引用の組み合わせの形成を示す説明図である。
【符号の説明】
【０１２０】
１０：入出力回路
２０：プロセッサ
３０：メモリ
４０：ユーザ・プロファイル決定回路
５０：フィールド決定回路
６０：表示レベル決定回路
７０：意味的ズーム決定回路
１００：情報を意味的にズームするためのシステム
２００：情報リポジトリ
３００：通信可能なパーソナル・コンピュータ
【図１】
2006331419.tif 000003
【図２】
2006331419.tif 000004
【図３】
2006331419.tif 000005
【図４】
2006331419.tif 000006
【図５】
2006331419.tif 000007
【図６】
2006331419.tif 000008
【図７】
2006331419.tif 000009
【図８】
2006331419.tif 000010
【図９】
2006331419.tif 000011
【図１０】
2006331419.tif 000012
【図１１】
2006331419.tif 000013
【図１２】
2006331419.tif 000014